(57)【要約】【課題】  ユーザが画像形成の実行を指示した際にその画像形成の完了までの残時間を通知する機能を備えた画像形成装置において、従来よりも正確な残時間を算出し、ユーザに通知することができる画像形成装置を提供することである。【解決手段】  原稿から画像を読み取る画像入力部と、画像データに基づき用紙に画像を形成する印刷制御部と、画像形成の完了までにかかる残時間を算出する残時間算出手段とを有する画像形成装置において、前記残時間算出手段は、（Ｎ−１）枚目の紙とＮ枚目の紙とで印刷動作の比較を行い、該比較結果を前記残時間の算出に反映することを特徴とする。【選択図】  図２
2005345765.tif 000002
【特許請求の範囲】
【請求項１】
画像データに基づき用紙に画像を形成する印刷制御部と、画像形成の完了までにかかる残時間を算出する残時間算出手段とを有する画像形成装置において、
前記残時間算出手段は、（Ｎ−１）枚目の紙とＮ枚目の紙とで印刷動作の比較を行い、該比較結果を前記残時間の算出に反映することを特徴とする画像形成装置。
【請求項２】
前記残時間算出手段が、比較する印刷動作が、転写紙サイズの違い、線速の違い、プリントモード（両面／片面）の違いの少なくとも１つであることを特徴とする請求項１に記載の画像形成装置。
【請求項３】
画像形成の各種基本動作にかかる時間を記憶する記憶部をさらに有し、
前記残時間算出手段が、前記記憶部に記憶された前記画像形成の各種基本動作にかかる時間を読出し、該読み出した時間を用いて前記残時間を算出することを特徴とする請求項１に記載の画像形成装置。
【請求項４】
前記残時間算出手段が算出した残時間を表示する表示部をさらに有することを特徴とする請求項１に記載の画像形成装置。
【発明の詳細な説明】
【技術分野】
【０００１】
本発明は、たとえば電子写真方式により用紙に画像形成する画像形成装置に関する。
【背景技術】
【０００２】
従来から、一様に帯電させた感光体の感光層に光を当てることによって露光して潜像を形成し、この潜像が形成された感光層にトナーを付着させることによって現像し、これを用紙に転写して画像形成を行うディジタル複写機等の電子写真方式の画像形成装置がよく知られている。
【０００３】
ところで最近では画像形成装置の多機能化が進み、たとえば特許文献１に記載の画像形成装置のように、ユーザが画像形成の実行を指示した際にその画像形成の完了までの残時間を通知する機能を備えたものも提案されている。
【０００４】
この特許文献１に記載の画像形成装置では、画像形成の各種基本動作時間のデータを記憶手段に記憶しておき、ユーザの指示によって画像形成条件が決まると、それに基づき記憶手段に記憶してある動作時間のデータを参照して画像形成完了までの残時間を算出して通知するようにしている。
【０００５】
【特許文献１】特開２００３−９８９１０号公報
【発明の開示】
【発明が解決しようとする課題】
【０００６】
ところが、上述の特許文献１に記載のような従来の画像形成装置においては以下のような問題があった。
【０００７】
すなわち、特許文献１に記載の画像形成装置によれば、転写紙すなわち画像形成用紙のサイズごとの片面・両面モード別のプリント時間や、ステイプル止めやパンチ穴あけなどの後処理内容ごとの部間処理時間（出力を複数部数作成する際に、ある一部数の用紙の作成と次の一部数の用紙の作成の間に行う処理の時間（たとえば後処理の処理時間））を含め、画像処理の完了までの残時間を正確にユーザに通知することができるようにしているが、たとえば画像形成する用紙の切り替わり等が何度か行われた場合などには、その切り替わりのための時間を正しく考慮しておらず、より正確な残時間を算出することはできないという問題があった。
【０００８】
本発明は上記の点にかんがみてなされたもので、ユーザが画像形成の実行を指示した際にその画像形成の完了までの残時間を通知する機能を備えた画像形成装置において、従来よりも正確な残時間を算出し、ユーザに通知することができる画像形成装置を提供することを目的とする。
【課題を解決するための手段】
【０００９】
本発明は上記の目的を達成するために、画像データに基づき用紙に画像を形成する印刷制御部と、画像形成の完了までにかかる残時間を算出する残時間算出手段とを有する画像形成装置において、前記残時間算出手段は、（Ｎ−１）枚目の紙とＮ枚目の紙とで印刷動作の比較を行い、該比較結果を前記残時間の算出に反映することを特徴とする。
【００１０】
また本発明は請求項１に記載の発明において、前記残時間算出手段が、比較する印刷動作が、転写紙サイズの違い、線速の違い、プリントモード（両面／片面）の違いの少なくとも１つであることを特徴とする。
【００１１】
また本発明は請求項１に記載の発明において、画像形成の各種基本動作にかかる時間を記憶する記憶部をさらに有し、前記残時間算出手段が、前記記憶部に記憶された前記画像形成の各種基本動作にかかる時間を読出し、該読み出した時間を用いて前記残時間を算出することを特徴とする。
【００１２】
また本発明は請求項１に記載の発明において、前記残時間算出手段が算出した残時間を表示する表示部をさらに有することを特徴とする。
【発明の効果】
【００１３】
本発明によれば、ユーザが画像形成の実行を指示した際にその画像形成の完了までの残時間を通知する機能を備えた画像形成装置において、従来よりも正確な残時間を算出し、ユーザに通知することができる画像形成装置を提供することができる。
【００１４】
すなわち本発明によれば、画像形成の実行にあたって、画像形成用紙すなわち転写紙の混載、たとえば転写紙サイズ、プリントモード（片面コピーか両面コピーか）、線速（１／１速、１／２速、１／３速など）などの切り替わり状態を、直前の紙と比較することによって検知し、これによって各部の切り替えのための時間が発生するか否かを求め、これを考慮した残時間を算出するようにしたので、従来よりも正確な残時間を得ることができるようになった。
【発明を実施するための最良の形態】
【００１５】
以下、本発明の実施の形態を図面を参照して説明する。
【００１６】
図１は、本発明による画像形成装置の一実施の形態の構成を示す概略断面図である。本実施の形態では画像形成装置として電子写真方式の複写機を例に挙げて説明する。
【００１７】
ここで、図１を参照して本実施の形態による画像形成装置１００の構成および基本動作について説明する。
【００１８】
画像形成装置本体１００は、カラー画像形成手段用に複数組の原稿書き込みユニット１５３Ｙ、１５３Ｍ、１５３Ｃを備え、モノクロ画像形成手段用に原稿書き込みユニット１５４Ｋを備えるものである。原稿書き込みユニット１５３Ｙはイエロー色、原稿書き込みユニット１５３Ｍはマゼンタ色、原稿書き込みユニット１５３Ｃはシアン色、原稿書き込みユニット１５４Ｋは黒色の画像形成が可能になっている。
【００１９】
上記原稿書き込みユニット１５３Ｙ、１５３Ｍ、１５３Ｃ、１５４Ｋにそれぞれ対応して、感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋを備えている。また、上記カラー画像形成手段、モノクロ画像形成手段に共通する中間転写ユニット９を備えており、中間転写ユニット９は、複数のローラに巻回され、回転可能に支持されて上記感光体６Ｙ、６Ｍ、６Ｃ、６Ｋと接触可能に配置されたエンドレスベルト形状の中間転写体９ａと該中間転写体９ａを上記感光体６Ｙ、６Ｍ、６Ｃ、６Ｋに接触させて画像を転写させる一次転写手段９Ｙ、９Ｍ、９Ｃ、９Ｋを有している。
【００２０】
次いで他の構成を説明すると、画像形成装置１００の上部側には、スキャナ部として機能する原稿読み取りユニット１が設けられており、ガラス面のプラテン上に原稿がセットされ、原稿読み取りユニット１で走査されて読み取られる。該原稿読み取りユニット１内には上記走査によって得られる反射光が入力されるＣＣＤ１３１が配置されている。なお、原稿読み取りユニット１にはＡＤＦ（自動原稿送り装置）１ａを接続し、原稿の両面を読取可能な構成にすることが望ましい。
【００２１】
また、画像形成装置１００の下部には、給紙トレイ２、３、４が配置されており、それぞれに給紙手段２ａ、３ａ、４ａが設けられている。また、画像形成装置１００の側方外壁部には手差しトレイ５が設けられており、該手差しトレイ５に対する給紙手段５ａが設けられている。このように複数の給紙トレイ、手差しトレイが設けられているのでサイズの異なる複数種類の用紙を用いることができる。
【００２２】
上記給紙手段２ａ〜５ａの給紙側先方にはレジストローラ１５が配置され、さらにその先方には前記中間転写体９ａに用紙を押圧可能な二次転写ローラ１６が配置されている。該二次転写ローラ１６の先方には、定着手段１７が設けられており、該定着手段１７の先方には排紙ローラ１８が設けられている。
【００２３】
画像形成装置１００では、画像形成指令にしたがって、カラーでの印刷の際には、上記原稿書き込みユニット１５３Ｙ、１５３Ｍ、１５３Ｃ、１５４Ｋによって必要に応じて形成された画像が、前記感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋ、一次転写手段９Ｙ、９Ｍ、９Ｃ、９Ｋによって中間転写体９ａに転写される。一方、モノクロ印刷の際には上記原稿書き込みユニット１５４Ｋによって形成された画像が、前記感光体６Ｋ、帯電手段７Ｋ、現像手段８Ｋ、一次転写手段９Ｋによって中間転写体９ａに転写される。
【００２４】
一方、画像形成に必要な用紙は、用紙サイズ等にしたがって給紙トレイ２、３、４または手差しトレイ５のいずれかから、給紙手段２ａ、３ａ、４ａまたは５ａによって給紙され、レジストローラ１５を経て二次転写ローラ１６に至る。該二次転写ローラ１６によって用紙は中間転写体９ａに押圧され、中間転写体９ａ上の画像が用紙に転写される。画像が転写された用紙は、定着手段１７で画像の定着がなされ、排紙ローラ１８を経て画像形成装置１００の外部に排出される。
【００２５】
ところで、画像形成用紙の表面および裏面の両面に画像形成する場合には、用紙の表面に対して定着手段１７で画像の定着がなされて画像形成が済んだ後に、その用紙を排紙ローラ１８へは搬送せず、ＡＤＵ機構１６０の方へと向かわせる。
【００２６】
この用紙は、ＡＤＵ機構１６０にて裏表が逆になるように反転させられた後に、レジストローラ１５へと戻り、二次転写ローラ１６に至る。該二次転写ローラ１６によって用紙は中間転写体９ａに押圧され、中間転写体９ａ上の画像が用紙に転写される。画像が転写された用紙は、定着手段１７で画像の定着がなされ、このようにして裏面に対する画像形成も完了したならば、排紙ローラ１８を経て画像形成装置１００の外部に排出される。
【００２７】
図２は、図１に示した画像形成装置本体１００の制御に関する構成を示すブロック図である。
【００２８】
図２に示すように、画像形成装置本体１００は、本体の全体制御を行う本体制御部２１と、原稿読み取りユニット１を有し、原稿から画像を読み取る画像入力部２２と、原稿書き込みユニット１５３Ｙ、１５３Ｍ、１５３Ｃ、１５４Ｋを有し、たとえば紙などの画像形成用紙に画像を形成する印刷制御部２５と、画像入力部２２によって読み取った画像データやそのほか、本体制御部２１で実行するソフトウェアプログラム、画像形成装置１００の動作に必要なパラメータ等を記憶する記憶部２４と、画像形成装置１００からユーザに対して情報表示したり、ユーザが画像形成装置１００に対する操作、指示等を入力する表示操作部２６とを有して構成される。
【００２９】
記憶部２４に記憶する、本体制御部２１で実行するソフトウェアプログラムには、後述の本実施の形態における画像形成完了までの残時間を算出する残時間算出処理を行うソフトウェアプログラムが含まれる。このソフトウェアプログラムを本体制御部２１で実行して残時間算出手段が実現される。また、記憶部２４には、画像形成の各種基本動作時間のデータが記憶されている。
【００３０】
表示操作部２６は、たとえば、タッチパネル式の操作パネルと固定ボタン式の操作部とを有して構成される。この表示操作部２６は図１においては示していないが、画像形成装置本体１００の上段の、ユーザが操作しやすい位置に設けるのがよい。また、この表示操作部２６は、ＣＲＴ、液晶、ＥＬ等の表示パネル部と、表示パネルのボタン位置に対応した座標位置の検出を行うタッチパネル、マウス等の入力装置部とを含むものであってもよい。
【００３１】
本実施の形態では、表示操作部２６の操作パネルには、本体制御部２１で動作するソフトウェアプログラムによる制御の下、算出した画像形成の完了までの残時間が表示される。
【００３２】
次に、本実施の形態の動作について図面を参照しながら詳細に説明する。
【００３３】
図３は、図１に示した本実施の形態の画像形成装置１００における残時間算出処理のフローチャートの一例を示す図である。
【００３４】
また図４は、図１に示した本実施の形態の画像形成装置１００における残時間算出処理のフローチャートの一例であって、図３に続く処理のフローチャートを示す図である。
【００３５】
なお、この図３および図４の処理は、１枚の転写紙の画像形成にかかる時間を画像形成する枚数だけ加算した時間のほかにかかる時間（たとえば、両面印刷であれば２枚の画像形成をする時間のほかに転写紙をＡＤＵ機構１６０で反転させる時間がかかる）を算出する処理である。
【００３６】
本実施の形態は、一連の原稿を読み取って画像形成する際に、その画像形成の途中でプリントモード（片面印刷か、それとも両面印刷かのモード種別である、以下では単に「プリントモード」という）や線速等の印刷動作を切り替えて画像形成する必要が生じた場合、その切り替えに要する時間を、画像形成完了までの残時間に加えるようにするものである。
【００３７】
また本実施の形態は、プリントモードや線速の切り替えが生じない場合、すなわち画像形成するＮ枚目の紙について、前紙すなわちＮ枚目の紙の直前の紙である（Ｎ−１）枚目の紙と比較して、プリントモードや線速等が同じである場合には、切り替えに要する時間を画像形成完了までの残時間に加算しないようにするものである。
【００３８】
ユーザからの画像形成指示を表示操作部２６によって受けた画像形成装置１００の本体制御部２１では、その際の画像形成条件を表示操作部２６によってユーザから受け、画像形成動作を開始する。
【００３９】
その際、ユーザから残時間表示の指示がされていたならば、本体制御部２１では図３および図４に示す処理を実行して残時間を算出し、算出した残時間を表示操作部２６によってユーザに対して提示する。
【００４０】
図３を参照すると、画像形成装置１００では、画像入力部２２によってコピーする原稿の画像のスキャンを実行し、画像の読込みが終了したならば（Ａ−１）、その画像を画像形成するＮ枚目の紙について、前紙すなわち直前の紙である（Ｎ−１）枚目の紙と比較して、プリントモード（片面印刷か、それとも両面印刷か）に変更があったかどうかを判断する（Ａ−２）。
【００４１】
ステップ（Ａ−２）においてプリントモードが異なる場合には、（Ｎ−１）枚目の紙のプリントモードが両面印刷かどうかを判断し（Ａ−３）、（Ｎ−１）枚目の紙のプリントモードが両面印刷の場合には、図１に示したＡＤＵ機構１６０によって画像形成用紙が反転させられる際の時間すなわちＡＤＵ循環時間を計算し（Ａ−４）、図４のステップ（Ａ−８）へと進む。
【００４２】
一方、ステップ（Ａ−２）においてプリントモードが同じである場合には、画像形成するＮ枚目の紙について、前紙すなわち（Ｎ−１）枚目の紙と比較して、用紙サイズに変更があったかどうかを判断する（Ａ−５）。
【００４３】
ステップ（Ａ−５）において用紙サイズが異なる場合には、（Ｎ−１）枚目の紙のプリントモードが両面印刷かどうかを判断し（Ａ−６）、（Ｎ−１）枚目の紙のプリントモードが両面印刷の場合には、図１に示したＡＤＵ機構１６０によって画像形成用紙が反転させられる際の時間すなわちＡＤＵ循環時間を計算し（Ａ−７）、図４のステップ（Ａ−８）へと進む。
【００４４】
一方、ステップ（Ａ−５）において用紙サイズが同じである場合には、そのまま図４のステップ（Ａ−８）へと進む。
【００４５】
図４のステップ（Ａ−８）では、画像形成するＮ枚目の紙について、前紙すなわち（Ｎ−１）枚目の紙と比較して、線速に変更があったかどうかを判断する。
【００４６】
ステップ（Ａ−８）において線速が異なる場合には、線速の切り替えにかかる時間を計算し（Ａ−９）、ステップ（Ａ−１０）へと進む。また、ステップ（Ａ−８）において線速が同じである場合には、そのままステップ（Ａ−１０）へと進む。
【００４７】
ステップ（Ａ−１０）では、上述のステップ（Ａ−２）〜（Ａ−９）までの処理をすべての紙について行ったかを判断し、最後まで行っていない場合にはステップ（Ａ−２）へと戻る。なお、Ｎ＝１の場合には前紙がないので、この場合の前紙との比較はすべて前紙と同じであるものとして処理を行う。
【００４８】
ステップ（Ａ−１０）において原稿の最後まで処理を行った場合には、自紙のプリントモードが両面印刷かどうかを判断し（Ａ−１１）、両面印刷の場合にはＡＤＵ循環時間を計算し（Ａ−１２）、処理を終了する。
【００４９】
残時間算出処理では、図３および図４で計算した時間を、１枚の転写紙の画像形成にかかる時間を画像形成する枚数だけ加算した時間に加算し、残時間として表示操作部２６にてユーザに対して提示する。
【００５０】
なお、上述のＡＤＵ循環時間の算出にあたっては、ＡＤＵ機構１６０の転写紙反転のための経路内に連続して転写紙が収容可能であることを考慮して、これに基づいてＡＤＵ循環時間を算出することもできる。ただし、ＡＤＵ機構１６０のの転写紙反転経路長は一定であるため、収容可能な転写紙の枚数は転写紙のサイズによって異なる。
【００５１】
たとえば、
Ｔｐｒｉｎｔ：転写紙印刷時間
Ｎ      ：両面プリントの連続枚数
ＮＭＡＸ  ：ＡＤＵ機構１６０の転写紙反転のための経路において収容可能な転写紙の枚数
としたとき、
両面プリントモードが同じ転写紙サイズで連続する場合のＡＤＵ循環時間は、
（ＮＭＡＸ−Ｎ）×Ｔｐｒｉｎｔ
によって求められる。
【００５２】
ただし、ＮＭＡＸ＜Ｎのときには、
Ｎ←Ｎ−ＮＭＡＸ（Ｎ−ＮＭＡＸの解を新たなＮとする）
の計算をＮ＜ＮＭＡＸになるまで繰り返し、Ｎ＜ＮＭＡＸが成立したＮを用いて（ＮＭＡＸ−Ｎ）×Ｔｐｒｉｎｔを計算するようにすればよい。
【００５３】
ただし、転写紙サイズが異なった連続両面プリントモードの場合には連続とみなさない。
【００５４】
ところで、上述の処理にて計算するあらゆる時間、画像形成の各種基本動作にかかる時間は、予め求めて記憶部２４に記憶しておき、必要に応じてそれを読み出すようにしてもよい。
【００５５】
次に、図５を参照して本実施の形態の残時間算出の具体例について説明する。
【００５６】
図５は、本実施の形態によって算出する画像形成完了までの残時間について示すタイムチャートであって、（ａ）〜（ｆ）のそれぞれは、残時間の具体例を示す図である。
【００５７】
図５（ａ）〜図５（ｆ）において、
Ｔｐｒｉｎｔ：転写紙印刷時間（カラー画像形成で、線速が１／１速のときの時間）
Ｔｓｐｅｅｄ：線速切り替え時間
Ｎ      ：両面プリントの連続枚数
ＮＭＡＸ  ：ＡＤＵ機構１６０の転写紙反転のための経路において収容可能な転写紙の枚数
であるとする。また、ＮＭＡＸはＡ４サイズ３枚であるとする。
【００５８】
図５（ａ）は、片面Ａ４（カラー、１／１速）→片面Ａ４（カラー、１／１速）→片面Ａ４（カラー、１／１速）の場合であり、この場合は、１枚目はＴｐｒｉｎｔ、２枚目はＴｐｒｉｎｔ、３枚目はＴｐｒｉｎｔとなり、これらを加算し、残時間は３Ｔｐｒｉｎｔとなる。
【００５９】
図５（ｂ）は、片面Ａ４（カラー、１／１速）→片面Ａ４（カラー、１／２速）→片面Ａ４（カラー、１／１速）の場合であり、この場合は、１枚目はＴｐｒｉｎｔ、２枚目は２Ｔｐｒｉｎｔ＋Ｔｓｐｅｅｄ、３枚目はＴｐｒｉｎｔ＋Ｔｓｐｅｅｄとなり、これらを加算し、残時間は４Ｔｐｒｉｎｔ＋２Ｔｓｐｅｅｄとなる。
【００６０】
図５（ｃ）は、片面Ａ４（カラー、１／１速）→両面Ａ４（カラー、１／１速）→片面Ａ４（カラー、１／１速）の場合であり、この場合は、１枚目はＴｐｒｉｎｔ、２枚目は２Ｔｐｒｉｎｔ、３枚目はＴｐｒｉｎｔとなり、さらに、上述のＡＤＵ循環時間が２Ｔｐｒｉｎｔとなり、これらを加算し、残時間は６Ｔｐｒｉｎｔとなる。
【００６１】
図５（ｄ）は、両面Ａ４（カラー、１／１速）→両面Ａ４（カラー、１／１速）→片面Ａ４（カラー、１／１速）の場合であり、この場合は、１枚目は２Ｔｐｒｉｎｔ、２枚目は２Ｔｐｒｉｎｔ、３枚目はＴｐｒｉｎｔとなり、さらに、上述のＡＤＵ循環時間がＴｐｒｉｎｔとなり、これらを加算し、残時間は６Ｔｐｒｉｎｔとなる。
【００６２】
図５（ｅ）は、両面Ａ４（カラー、１／１速）→両面Ａ４（カラー、１／１速）→両面Ａ４（カラー、１／１速）の場合であり、この場合は、１枚目は２Ｔｐｒｉｎｔ、２枚目は２Ｔｐｒｉｎｔ、３枚目は２Ｔｐｒｉｎｔとなり、さらに、上述のＡＤＵ循環時間が０となり（これは２枚目、３枚目が１枚目に続いてＡＤＵ機構１６０の反転経路に収容されるためであり、このためＡＤＵ循環時間は０となる。）、これらを加算し、残時間は６Ｔｐｒｉｎｔとなる。
【００６３】
図５（ｆ）は、両面Ａ４（カラー、１／１速）→両面Ａ４（カラー、１／１速）→両面Ａ４（カラー、１／１速）→両面Ａ４（カラー、１／１速）の場合であり、この場合は、１枚目は２Ｔｐｒｉｎｔ、２枚目は２Ｔｐｒｉｎｔ、３枚目は２Ｔｐｒｉｎｔ、４枚目は２Ｔｐｒｉｎｔとなり、さらに、上述のＡＤＵ循環時間が２Ｔｐｒｉｎｔとなり（これは４枚目がＮＭＡＸを越えているためである。）、これらを加算し、残時間は１０Ｔｐｒｉｎｔとなる。
【図面の簡単な説明】
【００６４】
【図１】本発明による画像形成装置の一実施の形態の構成を示す概略断面図である。
【図２】図１に示した画像形成装置本体１００の制御に関する構成を示すブロック図である。
【図３】図１に示した本実施の形態の画像形成装置１００における残時間算出処理のフローチャートの一例を示す図である。
【図４】図１に示した本実施の形態の画像形成装置１００における残時間算出処理のフローチャートの一例であって、図３に続く処理のフローチャートを示す図である。
【図５】本実施の形態によって算出する画像形成完了までの残時間について示すタイムチャートであって、（ａ）〜（ｆ）のそれぞれは、残時間の具体例を示す図である。
【符号の説明】
【００６５】
１  原稿読み取りユニット
１ａ  ＡＤＦ
２、３、４  給紙トレイ
２ａ、３ａ、４ａ  給紙手段
５  手差しトレイ
５ａ  給紙手段
６Ｙ、６Ｍ、６Ｃ、６Ｋ  感光体
７Ｙ、７Ｍ、７Ｃ、７Ｋ  帯電手段
８Ｙ、８Ｍ、８Ｃ、８Ｋ  現像手段
９  中間転写ユニット
９ａ  中間転写体
９Ｙ、９Ｍ、９Ｃ、９Ｋ  一次転写手段
１５  レジストローラ
１６  二次転写ローラ
１７  定着手段
１８  排紙ローラ
１３１  ＣＣＤ
１５３Ｙ、１５３Ｍ、１５３Ｃ  原稿書き込みユニット
１５４Ｋ  原稿書き込みユニット
１６０  ＡＤＵ機構
１００  画像形成装置本体
２１  本体制御部
２２  画像入力部
２３  画像処理部
２４  記憶部
２５  印刷制御部
２６  表示操作部
【図１】
2005345765.tif 000003
【図２】
2005345765.tif 000004
【図３】
2005345765.tif 000005
【図４】
2005345765.tif 000006
【図５】
2005345765.tif 000007